(57)【要約】修正ＣｏｌｏｒｓｔｒｉｐｅＴＭコピー防止処理は、ビデオ信号を減衰させる基本コピー対抗保護（ＡＣＰ）信号を利用し、一実施例では、この処理は、フロントポーチ部のレベルを修正し（下げ）、不正なカラー信号（カラーバースト）を同期チップの領域に付加する。不法コピーが行われたとき、予め空白化されたエンド・オブ・ライン部は、テレビ受像機にカラーバースト・サンプルパルスを早めにトリガーさせ、同期チップ領域中の不正なカラー信号をサンプリングさせる。かくして、同期チップ領域は、不正なカラー位相又は周波数を含むので、得られた不法コピーは、色歪みが強調される。他の実施例において、水平ブランキング区間の他の部分はレベルが下げられ、不正なカラーバーストがバックポーチ部及び／又はフロントポーチ部に付加される。この処理の様々な実施例は、適応可能な処理、並びに、その処理と組み合わせて使用するための幾つかの代替的なＡＣＰ信号を含む。
2004507170.tif 000002
【特許請求の範囲】
【請求項１】
標準レベルの水平同期区域、標準レベルのフロントポーチ区域及び標準レベルのバックポーチ区域を含む水平ブランキング区間と、標準的なカラーバースト信号とを有するビデオラインにより形成されたビデオ信号を基本コピー対抗保護信号によって減衰させると共に、ビデオ信号のクロマ歪みを強調する方法であって、
水平ブランキング区間の選択された一部分のレベルを上記の各標準レベルよりも低い値に低下させる手順と、
選択された一部分において低下したレベルに応じてサンプル信号を準備する手順と、
位相又は周波数が不正であるカラーバースト信号を水平ブランキング区間の第２の部分に挿入する手順と、
を有し、
第２の部分は、クロマ歪みを強調するため、サンプル信号が標準的なカラーバースト信号ではなく不正なカラーバースト信号をサンプリングするように、選択された部分に対して空間的に配置されている、
方法。
【請求項２】
不正なカラーバースト信号は、不正なカラーバースト信号のサンプリングが行われるように、水平同期信号及び／又はバックポーチ区域に追加される、請求項１記載の方法。
【請求項３】
不正なカラーバースト信号は水平同期信号に追加され、
レベルが低下した選択された部分はフロントポーチ区域に設けられる、
請求項２記載の方法。
【請求項４】
不正なカラーバースト信号はバックポーチ区域に追加され、
レベルが低下した選択された部分は、不正なカラーバースト信号よりも前のバックポーチ区域の一部分に挿入された擬似同期信号であるフロントポーチ区域に設けられる、
請求項２記載の方法。
【請求項５】
不正なカラーバースト信号は水平同期信号に追加され、
レベルが低下した選択された部分はバックポーチ区域の擬似同期信号であり、
バックポーチ区域の擬似同期信号は、不正なカラーバースト信号の後であり、
かつ、各アクティブビデオラインの先頭の直ぐ隣にあり、
擬似同期信号及びアクティブビデオラインの先頭は、擬似同期パルスと自動利得制御（ＡＧＣ）パルスのパルス対を形成する、
請求項２記載の方法。
【請求項６】
水平同期信号よりも前のフロントポーチ区域に正のパルスを重ね合わせる手順を含み、
レベルが低下した選択された信号はフロントポーチ区域の一部分であり、
低下したフロントポーチ区域の一部分及び正のパルスは、擬似同期パルスと自動利得制御（ＡＧＣ）パルスのパルス対を形成する、
請求項２記載の方法。
【請求項７】
レベルが低下した選択された部分は、エンド・オブ・ビデオラインとフロントポーチ区域の部分を含む、請求項２記載の方法。
【請求項８】
瞬時画像レベルを表す平均画像レベル（ＡＰＬ）信号を生成する手順と、
選択された部分のレベルが低下する量を平均画像レベル信号に応じて変化させる手順と、
を更に有する請求項２記載の方法。
【請求項９】
フロントポーチ区域の一部分のレベルは平均画像レベル信号に応じて変えられる、請求項８記載の方法。
【請求項１０】
バックポーチ区域に追加された擬似同期信号のレベルは平均画像レベル信号に応じて変えられる、請求項８記載の方法。
【請求項１１】
クロマ歪みが強調されるビデオ信号のビデオラインを選択する手順を含む、請求項２記載の方法。
【請求項１２】
レベルは、ブランキングレベルから−３０ＩＲＥのレベルまで低下させられる、請求項２記載の方法。
【請求項１３】
レベルは、選択された一定周波数又はランダム周波数において、ブランキングレベルよりも数ＩＲＥ高いレベルから−３０ＩＲＥのレベルまでの範囲で動的に変えられる、請求項２記載の方法。
【請求項１４】
水平ブランキングレベルの間隔を延長する手順と、
不正なカラーバースト信号を、レベルが低下した選択された部分よりも後でフロントポーチ区域の一部分に挿入する手順と、
を更に有する請求項２記載の方法。
【請求項１５】
標準レベルの水平同期区域、標準レベルのフロントポーチ区域及び標準レベルのバックポーチ区域を含む水平ブランキング区間と、標準的なカラーバーストとを有するビデオラインにより形成されたビデオ信号を基本コピー対抗保護信号によって減衰させると共に、ビデオ信号のクロマ歪みを強調する方法であって、
ビデオラインの間違った早めの走査を行なわせるため、水平同期よりも前で水平ブランキング区間の選択された一部分の標準レベルを低下させる手順と、
位相又は周波数が不正であるカラーバーストを、レベルが低下した部分よりも後で水平同期に追加する手順と、
クロマ歪みを強調させるため、間違った早めの走査に応じて不正なカラーバーストをサンプリングする手順と、
を有する方法。
【請求項１６】
レベルが低下した部分はフロントポーチ区域の一部分である、請求項１５記載の方法。
【請求項１７】
正のパルスを水平同期よりも前のフロントポーチに追加する手順を含み、
レベルが低下したフロントポーチ部分及び正のパルスは、擬似同期と自動利得制御（ＡＧＣ）のパルス対を形成する、
請求項１６記載の方法。
【請求項１８】
不正なカラーバーストは、標準的なカラーバーストよりも前のバックポーチの第１の部分に追加される、請求項１６記載の方法。
【請求項１９】
標準レベルの水平同期区域、標準レベルのフロントポーチ区域及び標準レベルのバックポーチ区域を含む水平ブランキング区間と、標準的なカラーバーストとを有するビデオラインにより形成されたビデオ信号を基本コピー対抗保護信号によって減衰させると共に、ビデオ信号のクロマ歪みを強調する方法であって、
ビデオラインの間違った遅めの走査を行なわせる擬似水平同期を画成するため、バックポーチの一部分の標準レベルを低下させる手順と、
位相又は周波数が不正であるカラーバーストを、レベルが低下した擬似水平同期よりも後でバックポーチに追加する手順と、
クロマ歪みを強調させるため、間違った遅めの走査に応じて不正なカラーバーストをサンプリングする手順と、
を有する方法。
【請求項２０】
擬似水平同期は、擬似同期と自動利得制御（ＡＧＣ）のパルス対を画成するため、アクティブビデオラインの先頭の隣に追加される、請求項１９記載の方法。
【請求項２１】
位相又は周波数が不正であるカラーバーストを標準的な水平同期に追加する手順を含む、請求項１９記載の方法。
【請求項２２】
標準レベルの水平同期区域、標準レベルのフロントポーチ区域及び標準レベルのバックポーチ区域を含む水平ブランキング区間と、標準的なカラーバーストとを有するビデオラインにより形成されたビデオ信号を基本コピー対抗保護信号によって減衰させると共に、ビデオ信号のクロマ歪みを強調する方法であって、
選択されたビデオラインの間違った早めの走査を行なわせるため、水平同期よりも前の水平ブランキング区間の一部分を低下させる手順と、
位相又は周波数が不正であるカラーバーストを水平同期に追加する手順と、
選択されたビデオラインの間違った遅めの走査を行なわせる擬似水平同期を画成するため、標準的なカラーバーストの後でバックポーチの一部分を低下させる手順と、
位相又は周波数が不正であるカラーバーストを、擬似水平同期よりも後のバックポーチに追加する手順と、
ビデオラインのフィールドの平均画像レベルを決定する手順と、
水平ブランキング区間の一部分の低下されるレベル及び／又は擬似水平同期の低下されるレベルを、平均画像レベルに応じて調整する手順と、
平均画像レベル及び対応して調整された低下したレベルに基づいて、間違った早めの走査又は間違った遅めの走査に応じて不正なカラーバーストをサンプリングする手順と、
を有する方法。
【請求項２３】
標準レベルの水平同期区域、標準レベルのフロントポーチ区域及び標準レベルのバックポーチ区域を含む水平ブランキング区間と、標準的なカラーバーストとを有するビデオラインにより形成されたビデオ信号を基本コピー対抗保護信号によって減衰させ、不法コピーの再生中にビデオ信号のクロマ歪みを強調する装置であって、
水平ブランキング区間の選択された一部分のレベルを上記の各標準レベルよりも低い値に低下させる回路と、
レベルが低下した選択された部分に応じてサンプル信号を供給するゲート論理回路と、
位相又は周波数が不正であるカラーバースト信号を水平ブランキング区間の更なる部分に加える副搬送波発生器／結合回路と、
を有し、
該更なる部分は、クロマ歪みの強調を行うため、サンプル信号によって標準的なカラーバーストではなく不正なカラーバーストをサンプリングするように選択された部分に対して配置されている、
装置。
【請求項２４】
回路は、修正フロントポーチ信号を与えるため、フロントポーチの一部分の標準レベルを低下させる第１の電圧源を含む、請求項２３記載の装置。
【請求項２５】
回路は、バックポーチ期間中にレベルが低下したポスト擬似同期信号を与える第２の電圧源を更に含む、請求項２４記載の装置。
【請求項２６】
ゲート論理回路は、選択された同期信号に応答し、不正なプレ同期カラーバースト・ゲート信号及びポスト同期カラーバースト・ゲート信号を生成する、請求項２３記載の装置。
【請求項２７】
搬送波発生器／結合回路は、
位相又は周波数が不正であるカラーバースト信号を供給する発振器と、
ビデオ信号のクロマ歪みを強調させるため、不正なプレ同期カラーバースト・ゲート信号及びポスト同期カラーバースト・ゲート信号に応答して、修正フロントポーチ信号、ポスト擬似同期信号、及び／又は、不正なカラーバーストの選択された信号をビデオ信号と組み合わせる結合回路と、
を含む、
請求項２６記載の装置。
【請求項２８】
ゲート論理回路は、
同期信号に応じて同期関連信号を生ずるパルス発生回路と、
同期関連信号に応答し、不正なプレ同期カラーバースト・ゲート信号を生ずる第１のワンショット回路と、
同期信号に応答し、不正なポスト同期カラーバースト・ゲート信号を生ずる第２のワンショット回路と、
を含み、
結合回路は、第１のワンショット回路、第２のワンショット回路及び発振器に応答し、不正なプレ同期カラーバースト・ゲート信号によって決定されるような位相又は周波数が不正であるプレ同期カラーバースト信号と、不正なポスト同期カラーバースト・ゲート信号によって決定されるような位相又は周波数が不正であるポスト同期カラーバースト信号を生ずる論理回路を含む、
請求項２７記載の装置。
【請求項２９】
第１のワンショット回路は、同期関連信号を準備するパルス発生回路と、不正なプレ同期カラーバースト・ゲート信号を準備するワンショット回路及びプレ同期ゲート回路とを含む、請求項２８記載の装置。
【請求項３０】
第２のワンショット回路は、一対のワンショット回路と、不正なポスト同期カラーバースト・ゲート信号を準備するポスト同期ゲート回路とを含む、請求項２８記載の装置。
【請求項３１】
ポスト擬似同期信号を準備する手段は、
スイッチと、
一対のワンショットに応答し、バックポーチ上で標準的なカラーバーストの後に続くポスト擬似同期信号を準備する第２の電圧源と、
を有する、請求項３０記載の装置。
【請求項３２】
結合回路は、
不正なプレ同期カラーバースト・ゲート信号及びポスト同期カラーバースト・ゲート信号、不正なカラーバースト信号、並びに、ライン位置信号を入力するＡＮＤゲートと、
ＡＮＤゲートに接続されたフィルタと、
修正フロントポーチ信号、フィルタからの信号、及び、ポスト擬似同期信号を入力し、クロマ歪みの強調が行われるように組み合わされた信号を出力する加算回路と、
を含む、
請求項２６記載の装置。
【請求項３３】
選択された同期信号に応答し、不正な信号を収容するビデオラインを判定するライン位置信号を供給するライン位置回路を更に含む請求項２３記載の装置。
【請求項３４】
回路は、
第１の入力でビデオ信号を入力するスイッチと、
スイッチの第２の入力へ供給される低下した電圧レベルを準備する第１の電圧源と、
不正なプレ同期カラーバースト・ゲート信号を生成するカラーバースト・ゲート回路と、
を含み、
該スイッチは、ライン位置信号及び不正なプレ同期カラーバースト・ゲート信号に応答し、低下した電圧レベルをフロントポーチ期間中にビデオ信号に挿入する、
請求項３３記載の装置。
【請求項３５】
期間が延長された水平ブランキング区間を生成するタイミング回路を更に有し、
ゲート論理回路は、不正なカラーバーストを水平同期よりも前のフロントポーチの一部分に挿入する第１のワンショット回路を含む、
請求項２３記載の装置。
【請求項３６】
レベルを低下させる回路は、
ビデオ信号を入力し、平均画像レベルを決定するシーン検出器回路と、
決定された平均画像レベルに応答し、水平ブランキング区間の選択された部分の期間に一つ以上の電圧を準備する伝達関数回路と、
を含み、
一つ以上の電圧は、平均画像レベルに応じてレベルが変化し、選択された部分の低下したレベルを与える、
請求項２３記載の装置。
【請求項３７】
シーン検出器回路は、
ビデオ信号を入力し、無修正バックポーチを生成するＡＣカップリング回路と、
平均画像レベルを伝達関数回路へ供給するため無修正バックポーチをサンプリングするサンプル／ホールド回路と、
を含む、請求項３６記載の装置。
【請求項３８】
伝達関数回路は、
決定された平均画像レベルを入力する第１の入力を備えた少なくとも一つの増幅器と、
対応した増幅器の第２の入力に接続されたオフセット電圧源と、
を含み、
増幅器は、決定された平均画像レベルに応じて、選択された部分又は更なる部分に対する低下したレベルを準備する、
請求項３６記載の装置。
【請求項３９】
コピー防止効果を与えるため、標準レベルの水平同期区域、標準レベルのフロントポーチ区域及び標準レベルのバックポーチ区域を含む水平ブランキング区間と、標準的なカラーバーストとを有するビデオラインにより形成されたビデオ信号を修正する方法であって、
位相又は周波数が不正であるカラーバースト信号を生成する手順と、
生成された不正なカラーバースト信号を、水平同期よりも前に、水平同期中に、及び／又は、標準低菜カラーバースト信号の後に、水平ブランキング区間に追加する手順と、
を有する方法。
【請求項４０】
不正なカラーバースト信号が、水平パルスよりも前のフロントポーチ区域の一部分に追加される、請求項３９記載の方法。
【請求項４１】
不正なカラーバースト信号が水平同期の一部分に追加される、請求項３９記載の方法。
【請求項４２】
不正なカラーバースト信号が、標準的なカラーバースト信号よりも後のバックポーチ区域の一部分に追加される、請求項３９記載の方法。
【請求項４３】
水平同期よりも前のフロントポーチ区域の一部分のレベルを低下させる手順と、
低下したフロントポーチの後のフロントポーチ区域に正のパルスを追加する手順と、
コピー保護効果を得るため、低下したフロントポーチ部分に応答して、不正なカラーバースト信号をサンプリングさせる手順と、
を更に有する請求項３９記載の方法。
【請求項４４】
コピー防止効果を与えるため、標準レベルの水平同期区域、標準レベルのフロントポーチ区域及び標準レベルのバックポーチ区域を含む水平ブランキング区間と、標準的なカラーバーストとを有するビデオラインにより形成されたビデオ信号を修正する方法であって、
各ビデオラインで間違った早めの走査を行なわせるため、水平同期よりも前のフロントポーチ区域の選択された部分のレベルを、上記の各標準レベルよりも低い値まで低下させる手順と、
位相又は周波数が不正であるカラーバースト信号を水平同期及び／又は水平同期の付近に追加する手順と
コピー防止効果を得るため、間違った早めの走査に応じて、標準的なカラーバースト信号ではなく不正なカラーバースト信号をサンプリングさせる手順と、
を有する方法。
【請求項４５】
低下したフロントポーチ部分よりも後であり、かつ、水平同期信号よりも前のフロントポーチ区域に正のパルスを追加する手順を含み、
低下したフロントポーチ区域の一部分及び正のパルスは、擬似同期と自動利得制御（ＡＧＣ）のパルス対を形成する、
請求項４４記載の方法。
【請求項４６】
瞬時画像レベルを表す平均画像レベル（ＡＰＬ）信号を生成する手順と、
フロントポーチ部分の低下したレベルを平均画像レベル信号に応じて変化させる手順と、
を更に有する請求項４４記載の方法。
【請求項４７】
コピー防止効果を与えるため、標準レベルの水平同期区域、標準レベルのフロントポーチ区域及び標準レベルのバックポーチ区域を含む水平ブランキング区間と、標準的なカラーバーストとを有するビデオラインにより形成されたビデオ信号を修正する方法であって、
バックポーチ区域の選択された部分のレベルを低下させる手順と、
位相又は周波数が不正であるカラーバースト信号を低下したバックポーチ部分の付近でバックポーチ区域に追加する手順と
コピー防止効果を得るため、低下したバックポーチ部分に応じて、不正なカラーバースト信号をサンプリングさせる手順と、
を有する方法。
【請求項４８】
不正なカラーバースト信号は、低下したバックポーチ部分の後に配置される、請求項４７記載の方法。
【請求項４９】
不正なカラーバースト信号は、低下したバックポーチ部分の前に配置される、請求項４７記載の方法。
【請求項５０】
瞬時画像レベルを表す平均画像レベル（ＡＰＬ）信号を生成する手順と、
フロントポーチ部分の低下したレベルを平均画像レベル信号に応じて変化させる手順と、
を更に有する請求項４７記載の方法。
【請求項５１】
コピー防止効果を与えるため、標準レベルの水平同期区域、標準レベルのフロントポーチ区域及び標準レベルのバックポーチ区域を含む水平ブランキング区間と、標準的なカラーバーストとを有するビデオラインにより形成されたビデオ信号を修正する方法であって、
水平ブランキング区間の選択された部分のレベルを、上記の各標準レベルよりも低い値まで低下させる手順と、
選択された部分における低下したレベルに応じたサンプル信号を生成する手順と、
位相又は周波数が不正であるカラーバースト信号を水平ブランキング区間の第２の部分に挿入する手順と、
を有し、
第２の部分は、コピー防止効果を得るため、サンプル信号が標準的なカラーバースト信号ではなく不正なカラーバースト信号をサンプリングするように、選択された部分に対し空間的に配置されている、
方法。
【請求項５２】
不正なカラーバースト信号は、不正なカラーバースト信号がサンプリングされるように、フロントポーチ区域、水平同期信号、及び／又は、バックポーチ区域に追加される、請求項５１記載の方法。
【請求項５３】
不正なカラーバースト信号は、水平同期信号の一部分に追加され、
レベルが低下した選択された部分は、フロントポーチ区域にある、
請求項５２記載の方法。
【請求項５４】
不正なカラーバースト信号はバックポーチ区域に追加され、
レベルが低下した選択された部分は、不正なカラーバースト信号よりも前のバックポーチ区域の一部分に挿入された擬似同期信号である、
請求項５２記載の方法。
【請求項５５】
水平ブランキング区間の期間を延長する手順と、
不正なカラーバースト信号を、低下したレベルの後に続くフロントポーチ区域の一部分に挿入する手順と、
を更に有する請求項５２記載の方法。
【請求項５６】
不正なカラーバースト信号は水平同期信号に追加され、
レベルが低下した選択された部分は、不正なカラーバースト信号よりも後にあり、対応したビデオラインの先頭に隣接したバックポーチ区域上の擬似同期信号である、請求項５２記載の方法。
【請求項５７】
水平同期信号よりも前のフロントポーチ区域に正のパルスを重ね合わせる手順を更に有し、
レベルが低下した選択された信号はフロントポーチ区域の一部分である、
請求項５２記載の方法。
【請求項５８】
不法コピーの再生中にコピー防止効果を与えるため、標準レベルの水平同期区域、標準レベルのフロントポーチ区域及び標準レベルのバックポーチ区域を含む水平ブランキング区間と、標準的なカラーバーストとを有するビデオラインにより形成されたビデオ信号を修正する装置であって、
水平ブランキング区間の選択された部分のレベルを標準レベルよりも低下させる回路と、
位相又は周波数が不正であるカラーバーストを水平ブランキング区間の更なる部分に加える副搬送波発生器／結合回路と、
を有し、
該更なる部分は、コピー防止効果が得られるように、標準的なカラーバーストではなく不正なカラーバーストをサンプリングするため、選択された部分に対して配置されている、
装置。
【請求項５９】
回路は、修正フロントポーチ信号を準備するため、フロントポーチの一部分の標準レベルを低下させる第１の電圧源を含む、請求項５８記載の装置。
【請求項６０】
回路は、バックポーチ期間中にレベルが低下したポスト擬似同期信号を準備する第２の電圧源を更に含む、請求項５８記載の装置。
【請求項６１】
第２の電圧源が準備するポスト擬似同期信号の振幅は、約−１０ＩＲＥ乃至−３０ＩＲＥである、請求項６０記載の装置。
【請求項６２】
搬送波発生器／結合回路は、
位相又は周波数が不正であるカラーバースト信号を供給する発振器と、
コピー防止効果を得るため、不正なプレ同期カラーバースト・ゲート信号及びポスト同期カラーバースト・ゲート信号に応答して、修正フロントポーチ信号、ポスト擬似同期信号、及び／又は、不正なカラーバーストの選択された信号をビデオ信号と組み合わせる結合回路と、
を含む、
請求項６１記載の装置。
【請求項６３】
アクティブビデオの部分まで期間が延長された水平ブランキング区間を生成するタイミング回路を更に有する請求項５８記載の装置。
【請求項６４】
レベルを低下させる回路は、
ビデオ信号を入力し、平均画像レベルを決定するシーン検出器回路と、
決定された平均画像レベルに応答し、水平ブランキング区間の選択された部分の期間に一つ以上の電圧を準備する伝達関数回路と、
を含み、
一つ以上の電圧は、平均画像レベルに応じてレベルが変化し、選択された部分の低下したレベルを与える、
請求項５８記載の装置。
【請求項６５】
水平同期よりも前のフロントポーチ区域の選択された部分に正のパルスを追加する手段を更に有する請求項５８記載の装置。
【発明の詳細な説明】
【０００１】
〔発明の背景〕
本発明は、ビデオ信号の不法コピーが表示されるときに、この不法コピーに暗くする効果又は明るくする効果を生じさせるコピー防止処理に係り、特に、コピー防止処理されたビデオ信号の不法コピーにさらなるクロマ歪み（色歪み）を付加するコピー防止効果を強調するコピー防止処理に関する。
【０００２】
したがって、本発明の好ましい一実施例は、ビデオ信号を選択的に減衰させる典型的なコピー防止処理と組み合わせて使用される。このようなビデオコピー防止信号は、典型的に、同期（ｓｙｎｃ）又は擬似同期（擬似ｓｙｎｃ）パルスと、自動利得制御（ＡＧＣ）パルスとを含む。ビデオカセットレコーダ（ＶＣＲ）の場合、誤りを含む利得レベルが、同期及び／又は擬似同期信号とＡＧＣ信号によって生成され、これにより、ＶＣＲはビデオ利得を減衰させる。ビデオ利得が減衰された後、多数の強調（エンハンスメント）信号が、主として、ＶＣＲ及び／又はテレビ（ＴＶ）受像機における同期信号の完全性に影響を与えるため加えられる。これらの典型的なコピー防止信号は、ＶＣＲ及びテレビ受像機に、少なくとも一つにはビデオ利得の低下が原因となって、偽同期信号を検知させる。このような信号は、例えば、テレビ受像機に、ビデオ水平ラインを前走査及び／又は後走査することによってビデオ信号の不法コピーを不適切にスキャンさせる。また、ＶＣＲ又はテレビ受像機は、余分若しくは誤りのあるカラーバースト・サンプルパルスを不法コピー中に発生する。
【０００３】
このような典型的なコピー防止信号は、コピー防止効果を高めるため、エンド・オブ・ライン信号、エンド・オブ・フィールド信号、ポスト擬似同期信号、及び、プレ擬似同期信号などのような様々な信号を含む。これらの信号減衰用コピー防止処理の説明は、例えば、参考のため全文が引用された１９８６年１２月２３日にＲｙａｎに発行された米国特許第４，６３１，６０３号明細書、１９８９年４月４日にＲｙａｎに発行された米国特許第４，９１８，０９８号明細書、並びに、１９７９年７月３１日にＭｏｒｉｏに発行された米国特許第４，１６３，２５３号明細書に記載されている。
【０００４】
カラービデオテープレコーダは、ヘッド対テープ速度の避けられない変動を補償すべく速度誤差補正信号を生成するためビデオ信号のカラーバーストコンポーネントを利用する。ビデオテープレコーダの速度誤差補正回路は、１ライン単位でカラーバースト信号の位相を測定する。位相の変動は、ヘッド対テープ速度の誤差によるものと考えられる。補正信号は、これらの誤差を除去しようとしてクロミナンス信号の位相を変化させる。
【０００５】
１９８６年３月１８日にＲｙａｎに発行された米国特許第４，５７７，２１６号（以下、２１６号特許と記載する）明細書（参考のため全文を引用する）に開示され、ＣｏｌｏｒｓｔｒｉｐｅＴＭコピー保護処理又はシステムとして知られているコピー防止技術によれば、位相が正しくないカラー・ストライプ・バーストを生成するためカラーバースト信号を雑音信号によって変調することにより意図的な位相誤差がカラーバースト信号に導入される。
【０００６】
したがって、ビデオテープレコーダ（ＶＣＲ）の速度誤差補正回路は、導入された意図的な位相誤差を除去しようとする。そのため、速度誤差補正回路は、カラーバーストからクロミナンス信号へ誤差を転送し、ビデオテープ記録物から再生された観察画像にカラー雑音、又は、誤差を生じさせる。しかし、修正カラーバースト信号の特性は、位相変調がテレビ受像機、即ち、テレビジョンセットによって無視されるような特性であり、テレビ受像機は実質的に標準的なカラー画像を生成する。
【０００７】
用語Ｃｏｌｏｒｓｔｒｉｐｅ（カラーストライプ（トレードマーク））は、カリフォルニア州サニーベル所在のマクロビジョン社のトレードマークである。しかし、説明を簡単化するため、以下では、対応して修正された標準カラーバーストを表すために、「カラー・ストライプ」、「カラー・ストライプ・バースト」のような様々な用語が使用される。
【０００８】
カラー・ストライプ処理は、記録テープを再生の際に観察するときに再生可能性問題を生じさせること無くして、カラー・ストライプ信号をビデオテープに記録できない、という欠点がある。即ち、カラー・ストライプ信号は、ケーブル、放送テレビのようなビデオ信号伝送環境では、或いは、デジタルビデオディスク（ＤＶＤ）プレーヤへのアドオン信号としては、巧く使用することができるが、事前に記録されたビデオテープ環境では、事前記録されたテープの再生可能性を劣化させることなく組み込めない。「再生可能性（再生性）」は、保護されたビデオ信号がテレビ受像機にそのまま供給されたときに、コピー対抗保護（ＡＣＰ）処理を含むビデオ信号の見え方（の出来の程度）を表す表現である。
【０００９】
したがって、予め記録された（記録済みの）ビデオテープ環境、並びに、信号伝送及びＤＶＤプレーヤ環境で使用することが出来るカラーバースト修正方式コピー防止処理を提供することが非常に望まれる。
【００１０】
〔発明の概要〕
本発明は、ビデオテープレコーダのコピー防止システム（即ち、テープ対テープ、若しくは、プレーヤ対レコーダ）、又は、伝送コピー防止信号システム（即ち、ケーブルビデオ、放送ビデオ、若しくは、インターネット）で、或いは、ＤＶＤユニット、民生用ディスク読み出し専用メモリ（ＣＤ　ＲＯＭ）若しくは記憶装置のようなビデオソースに埋め込まれたビデオコピー防止処理済み信号として、使用するための記録可能なカラー・ストライプ処理を提供することにより、従来技術のカラー・ストライプ処理の再生性問題を解決する。
【００１１】
このため、本発明によれば、ビデオ信号のクロマ部は、不法コピーの再生中に観察されるとき更に歪みが生じている。例えば、上記の２１６号特許に示されるような上述の先行技術の処理によれば、カラーバーストは、一般的に、標準カラーバースト区域で修正される。本発明によれば、不正なカラーバースト信号が、同期信号区域のような標準ではない区域、並びに、標準カラーバースト期間の後に追加される。その上、実際の標準同期信号幅は、変更されるか、又は、短縮される。フロントポーチ通路も変更され、不正なカラーバーストを収容できるようになる。不正なカラーバーストは、周波数若しくは位相が正しくないカラーバースト信号である。
【００１２】
本発明は、不法コピーの再生時に画面を暗くさせる従来の擬似同期パルス及び／又はＡＧＣパルスのような付加されたコピー防止用パルスと共にビデオ信号に適用される。本発明は、一例として、以下に列挙された少なくとも一つの特徴（ａ）〜（ｅ）を様々な実施例に組み込む。
（ａ）好ましくは、低下したエンド・オブ・ライン信号、低下したフロントポーチ信号、及び／又は、プレ同期信号。
（ｂ）少なくとも同期区域及びその周辺における不正なカラーバースト信号。
（ｃ）ポスト擬似同期信号又は低下したバックポーチ部信号。
（ｄ）オプションとしてポスト擬似同期区域を含む標準バックポーチ区域における正しいカラー信号。
（ｅ）ポスト擬似同期パルス後の不正なカラー信号。
【００１３】
本発明の基本は、ＶＣＲ及び／又はテレビ受像機に偽の（スプリアス）カラーバースト・サンプリング信号を生成させ、次に、ＶＣＲ及び／又はテレビ受像機に不正なカラーバースト信号を誤って参照させるため不正なカラー信号を水平ブランキング区間の部分に挿入することである。例えば、（ブランキングから−３０ＩＲＥまで）低下させられたフロントポーチ信号のようなプレ擬似同期パルスを使用することによって、ＶＣＲ及び／又はテレビ受像機は、既にビデオ信号に加えられた基本コピー防止信号の暗化効果の結果として、不正なカラーバースト信号をサンプリングする。この特定のケースでは、テレビ受像機は、プレ擬似同期信号と減衰したビデオ信号が原因で、走査が早まり、水平フライバック又はバーストパルスの出現が早まる。このフライバック又はバーストパルスの進みによって、テレビ受像機は、不正なカラーバースト信号が挿入された同期信号区域内でバーストをサンプリングする。かくして、テレビ受像機が表示する色歪みは、本発明にしたがって更に強調されている。標準的な条件下で、ビデオレベルは標準（正常）レベルであり、水平同期は、テレビ受像機に正確な走査を行なわせ、テレビ受像機のフライバックパルスは、標準バックポーチ区域内の標準カラーバースト信号をサンプリングする。
【００１４】
本発明の他の実施例では、ポスト擬似同期信号が適用され、ビデオ信号が減衰したとき、ポスト擬似同期信号は、ＶＣＲ及び／又はテレビ受像機によって検知され、これにより、ポスト擬似同期信号の後に、カラーバースト・サンプリング信号を出現させることができる。不正なカラーバースト信号がポスト擬似同期パルス信号の後に挿入されている場合、不正なカラー基準がテレビ受像機及び／又はＶＣＲによってサンプリングされ、コピー防止処理済のビデオ信号の不法コピーの再生時に色歪みが増大する。
【００１５】
本発明の利点は、ビデオ信号が標準的なテレビ受像機へそのまま供給されるとき、不正なカラー信号は、一般的に回路によって検知されないので、正常な画像が表示され、一方、従来技術のカラー・ストライプ・ビデオコピー防止信号はテレビ受像機によって検知される、という点である。勿論、本発明は、上述のカラー・ストライプ処理、或いは、セグメント化カラーバーストを使用するような変形されたものを含む様々な従来技術のビデオコピー防止処理と組み合わされ得る。
【００１６】
例えば、不正な色搬送波を含む修正カラーバーストは、色搬送波周波数とは異なる周波数を有する波形でもよい。しかし、この波形は、位相変調、周波数変調、及び／又は、振幅変調される。不正なカラーバーストの一つの機能は、不適当な静的色相及び／又は動的色相を引き起こすことである。不正なカラーバースト信号の別の機能は、静的彩度及び／又は動的彩度を生じさせることである。
【００１７】
カラーバースト信号の代替的な修正は、例えば、１Ｈｚ乃至２５Ｈｚの周波数レンジ内で色フリッカーを生じさせるように、フィールドとフィールドの間で位相を変化させることにより達成される。
【００１８】
更なる一実施例において、ポスト擬似同期信号は、アクティブビデオ部を検知することにより、テレビラインの始まりの方へ移され、これにより、余分な暗化を最大限にさせる。即ち、ポスト擬似同期（ＰＳＴＰＳ）信号は、アクティブビデオの先頭にブラックレベルよりも大きい電圧レベルが存在するとき、ビデオラインの先頭付近に挿入される。ブラックレベルよりも大きい電圧は、ポスト擬似同期信号に対してＡＧＣパルスとして挙動する。ポスト擬似同期信号の移動は、アクティブビデオラインの最初の数マイクロ秒のビデオレベルを検知することにより、動的に行われ得る。グレイからホワイトへのレベルが検知されたとき、ＰＳＴＰＳ信号は、ビデオラインの先頭へ向けて、即ち、水平ブランキング区間（ＨＢＩ）の最後まで移動させられる。
【００１９】
本発明の別の実施例は、同期抑制スクランブルシステムのようなある種のビデオスクランブルシステムに上記実施例の一部を利用する。例えば、同期抑制システムの同期信号区域における不正なカラーバーストの配置によって隠蔽（コンシールメント）が増大する。改良された同期抑制システムにおいて、ビデオラインの最後の２μｓ及び先頭の２μｓのような水平ブランキング区間（ＨＢＩ）の直ぐ外側区域は、所定のレベルへブランキングされる場合（即ち、ブランキングレベルである場合）、同期信号区域（即ち、同期チップ区域の少なくとも一部、並びに、バックポーチ区域の同期チップ区域及び少なくとも一部）に不正なカラーバーストを挿入することは、特に、ＨＢＩより前の２μｓのビデオ信号の区域がブランキングされているとき、より多くの色歪みを生じさせる。
【００２０】
また、本発明の説明には、カラーバースト修正処理の影響を少なくとも緩和する多数の方法及び／又は装置が含まれる。
【００２１】
更に、フロントポーチレベル及び／又は間隔を修正し、不正なカラーバースト信号を同期区域及びその周辺に挿入する本発明の方法は、例えば、同期抑制スクランブル処理のようなある種のビデオスクランブル処理の隠蔽効果を高めるために適用される。
【００２２】
〔好ましい実施例の詳細な説明〕
図１は、一例として、テレビ信号のビデオライン中の正常又は標準的な水平ブランキング区間（ＨＢＩ）を示す図である。特に、図１には、アクティブビデオの１ラインの最後のＨＢＩが示され、その後に、アクティブビデオの次のラインの先頭が続いている。ＨＢＩは、例えば、１．５マイクロ秒（μｓ）のフロントポーチと、４．７μｓの水平同期信号（ＳＹＮＣ）と、約４．７μｓのバックポーチと、を含み、フロントポーチ及びバックポーチは、ブランキングレベル（零ＩＲＥ）にセットされ、カラーバースト信号は、−４０ＩＲＥにセットされる。基準ブラックレベルは、例えば、＋７ＩＲＥであり、振幅が４０ＩＲＥのカラーバースト信号は、同期信号の後に続くバックポーチに配置される。
【００２３】
上述の通り、本発明は、好ましくは、不正なトリガーを始動し、及び／又は、テレビ受像機及び／又はＶＣＲでサンプリングするため典型的なコピー対抗防止（ＡＣＰ）処理によってビデオ信号に減衰効果が加えられることを要求し、これにより、本発明によれば、コピー防止処理済みビデオ信号のクロマ歪みが更に拡大される。
【００２４】
図２Ａは、本発明の第１実施例を例示する修正ＨＢＩを示す図である。ビデオ信号のフロントポーチは、好ましくは、低下したレベル信号まで修正され、即ち、同図に破線で示されるように、修正フロントポーチ（ＭＦＰ）信号１８を生ずる。信号ＭＦＰ１９は、ブランキングから−３０ＩＲＥの範囲のレベルまで下げられ、かつ、テレビ受像機に早めの走査を行なわせるために十分な幅がある。信号ＭＦＰ１８が基本コピー防止保護信号と組み合わされ、組み合わされた信号がＶＣＲのＡＧＣ増幅器によって減衰させられたとき、得られたコピーはテレビ受像機に表示される。信号ＭＦＰの典型的な幅レンジは、約１μｓ乃至３．５μｓである。信号ＭＦＰ１９は、好ましくは、ブランキングレベルよりも下げられるが、選択された周波数で、ブランキングレベルよりも上から低下したレベルまで動的に変更される。図２Ａ〜２Ｃは、本発明によって、不正なカラー基準がテレビ及び／又はＶＣＲに生じ、それによって、コピー対抗保護効果が増強される様子を示している。一般的な規則として、カラーバーストは、標準的な同期信号２０の前縁から約５μｓ後でサンプリングされる。このため、標準的な条件下では、即ち、フロントポーチのレベルが実質的に正常である場合、ビデオ信号２２は、テレビ受像機及び／又はＶＣＲにカラーバースト・サンプル信号２４を生成させる。図２Ｂでは、カラーバースト・サンプル信号２４は、同期信号２０の前縁よりも５μｓ後に生じる。サンプル信号２４は、正確なカラーバースト２６（図２Ａ）と同時に発生し、不正なプレ・カラーバースト（ＰＲＩＣＢ）２８とは同時に出現しないので、テレビ受像機及び／又はＶＣＲは、本発明による色歪みの強調を伴うことなく、表示及び／又は記録し、又は、再生する。
【００２５】
これに対して、ビデオ信号がフロントポーチ信号を下げるため弱められ、同時に、例えば、ＡＣＰ処理を用いてビデオ信号を減衰させた場合、標準的な同期信号２０ではなく、低下したフロントポーチ部、即ち、信号ＭＦＰ１８は、少なくとも一部のＶＣＲ又はテレビ受像機の回路によって検知される。これによって、図２Ｃに示されるように、信号ＭＦＰ１８の前縁よりも約５μｓ後にカラーバースト・サンプル信号３０が生じ、カラーバースト・サンプル信号は、標準的なカラーバースト・サンプル信号２４よりも先に出現する。同期信号２０には、不正なカラーバースト副搬送波信号（ＰＲＩＣＢ２８）が重ねられているので、信号ＭＦＰ１８は、ＴＶ受像機及び／又はＶＣＲに、不正なプレ・カラーバースト信号ＰＲＩＣＢ２８を捕捉させ、正しいカラーバースト信号２６を捕捉させない。その結果として、本発明によれば、ＴＶ受像機及び／又はＶＣＲは、不正な位相及び／又は周波数カラーバースト信号２８によって生じた正しくない歪みのあるカラーを表示、記録、又は、再生する。
【００２６】
図３Ａは、図２Ａに示された実施例の変形例の説明図であり、修正フロントポーチ（ＭＦＰ）信号３２が破線で示され、不正なプレ・カラーバースト（ＰＲＩＣＢ）信号３４は、バックポーチ区域（３６）と正常なカラーバースト４０の一部まで延びている。更なる一変形例では、図３Ａに破線で示されるように、ピークホワイトレベルへ近づく正方向パルス３８が、低下したＭＦＰ信号３２に設けられる。不正なプレ・カラーバースト信号３６、又は、信号３６及び３４は、好ましくは、ＤＶＤ、ペイ・パー・ビュー（ＰＰＶ）、信号伝送環境などで使用され、予め記録されたビデオテープ環境では望ましくない。なぜならば、バックポーチの先頭に置かれた不正なプレ・カラーバースト信号３６は、ＶＣＲに再生性問題をもたらすからである。
【００２７】
図２Ａ〜２Ｃに関して説明したように、図３Ａにおけるレベル低下した信号ＭＦＰ３２は、カラーバースト・サンプル信号（図２Ｃの信号３０）に、不正なプレ・カラーバースト信号３４及び不正なポスト・カラーバースト信号３６をサンプリングさせ、本発明による再生ビデオ信号中の色歪み効果の強調を保証する。
【００２８】
本発明の更なる一変形例によれば、図３Ａに破線で示されているＭＦＰ信号３２及び正方向パルス３８は、更に別の擬似同期／ＡＧＣパルス対信号を形成し、好ましくは、同時に、上述の強調色歪みを得るため、本発明と組み合わせるためのＡＣＰ処理を実現するために使用される同期／擬似同期／ＡＧＣパルスの組み合わせによって生じるビデオ信号減衰条件を満たす。
【００２９】
図３Ｂ及び３Ｃは、夫々、ポスト擬似同期信号ＰＳＴＰＳ４６及びＰＳＴＰＳ４８を利用する本発明の更なる実施例を示す図である。図３Ｂにおいて、ＭＦＰ信号４４のレベルと、ＰＳＴＰＳ信号４６のレベルは、ＴＶ受像機及び／又はＶＣＲに不正なＰＳＴＩＣＢ信号５０を検知させるため、選択的に下げられ、同時に、ビデオ信号は上述のＡＣＰ処理によって減衰させられる。
【００３０】
例えば、図３Ａ〜３ＣのＭＦＰ信号及びＰＳＴＰＳ信号によって生じる誤検知動作は、それ自体が、余分な水平方向混乱（ｔｅａｒｉｎｇ）又はルミナンス隠蔽（ｃｏｎｃｅａｌｍｅｎｔ）を招くが、ＭＦＰ信号及びＰＳＴＰＳ信号の後に、夫々、ＰＲＩＣＢ信号及びＰＳＴＩＣＢ信号のような不正な色副搬送波信号が続くので、余分な色歪みが不法コピーの観察中、又は、減衰ビデオ状況中に生じる。誤ったサンプリング又は誤ったトリガーが設定されると、本発明は、ＴＶ受像機及び／又はＶＣＲが減衰した環境下で不正な色副搬送波信号を誤って検知若しくはサンプリングする区域に不正な色副搬送波信号を配置することによって、更なる、即ち、強調された色歪みをＴＶ受像機及び／又はＶＣＲに生じさせる。
【００３１】
図３Ｂは、ＰＳＴＰＳ信号４６がアクティブビデオラインの先頭部４１の方に配置された特定のケースを表し、図３Ｃは、ＰＳＴＰＳ信号４８がアクティブビデオラインの先頭部４１の隣に配置された特定のケースを表す。図３Ｂ、３Ｃにおける信号が減衰効果を含む任意のコピー防止処理と組み合わされたとき、ＰＳＴＰＳ信号４６及び４８は、不法コピーの再生中に同期信号又は擬似同期信号として検知される。アクティブビデオラインの先頭部４１又は５２のレベルがブラック若しくはブランキングレベルよりも高い場合（例えば、図３Ｂの４２、及び、図３Ｃの５６に示されている）、ＰＳＴＰＳ信号４６及び／又はＰＳＴＰＳ信号４８は、図３Ｂ又は３Ｃのビデオラインの先頭部４１又は先頭部５２ではブラックレベルではないため、ポスト擬似同期パルスとＡＧＣパルスのパルス対状況を形成し、不法コピーが観察されるとき、不法コピーを更に減衰させるか、又は、暗くする。この更なる暗化は動的である。なぜならば、ビデオラインの先頭部５２は、番組内容に応じて信号レベルが変化するからである。
【００３２】
更なる一実施例によれば、ＰＳＴＰＳ信号４６、４８の位置は、図３Ｂ、３Ｃに示された位置から適応的に変更／変化させてもよい。例えば、図３ＣにおけるＰＳＴＰＳ信号４８の位置は、最小のグレイ対ホワイトレベルが番組ビデオ中のビデオラインの先頭部５２で検知されたときに決定される。更に、不正なバースト信号であるＰＲＩＣＢ信号５４も図３Ｃに示され、このＰＲＩＣＢ信号５４は、図３Ａに示されているように、同期信号部及び／又はバックポーチ区域の一部５８に存在する。
【００３３】
図２Ａ及び図３Ａ〜３Ｃの実施例は本発明の例を示すものであり、フロントポーチの少なくとも一部、及び／又は、アクティブビデオラインの終わり（エンド）の少なくとも一部、及び／又は、バックポーチの少なくとも一部が、ブランキング近傍の信号又はブランキングよりも低い信号によって置き換えられている。典型的に、この信号は、約−１０ＩＲＥから−２０若しくは−３０ＩＲＥであり、或いは、例えば、ビデオフィールドの選択されたラインに対し、ある選択された固定周波数若しくはランダム周波数において、数ＩＲＥから−３０ＩＲＥのレンジ内で変化する。
【００３４】
尚、本発明では、水平ブランキング区間は、標準的な間隔から変更してもよいことに注意する必要がある。例えば、典型的な水平ブランキング区間ＨＢＩの間隔は、ＮＴＳＣ方式カラー標準の場合、通常、約１０．０μ秒である。この実施例では、ＨＢＩは、好ましくは、ＨＢＩをアクティブビデオラインの終わりに１μｓ以上延ばすことによって１２μｓまで拡張される。
【００３５】
このため、図３Ｄは、観察される不法コピーにおける隠蔽又は色歪みの増加のため、不正なカラーバーストＰＳＴＩＣＢの余分なサイクルをＰＳＴＰＳ信号（例えば、図３ＢにおけるＰＳＴＰＳ信号４６及びＰＳＴＰＳ信号５０）の後に挿入することができる拡張されたＨＢＩが示されている。更に、拡張されたＨＢＩは、低下したフロントポーチ区域が増加した隠蔽を早めにプレ走査できるようにさせると共に、より良好な再生性を可能にさせる。なぜならば、不正なカラー信号ＰＲＩＣＢ６０は、低下したフロントポーチ区域ＭＦＰ６２、及び／又は、同期チップの前半部（ＰＲＩＣＢ６４として示されている）に置くことができるからである。
【００３６】
図４は本発明を含むシステムレベルのブロック図である。番組ビデオは、基本コピー対抗保護（ＡＣＰ）システム１００に供給される。基本コピー対抗保護システム１００は、不法コピーが再生及び観察されるときに、暗くしたり（暗化）、減衰させたりする。基本コピー対抗保護システム１００の出力は、本発明の処理、即ち、カラー・ストライプ・エンハンサ・システム１０２に供給される。カラー・ストライプ・エンハンサ・システム１０２の出力は、色歪みが強調されたコピー防止（処理済）ビデオ信号であり、このコピー防止ビデオ信号は、典型的にダビング用ＶＣＲに供給される。図４に示された処理から不法コピーを作成するとき、記録ビデオ信号の再生及び表示の結果は、基本コピー対抗保護システムによってビデオが暗くされると共に、本発明のシステム１０２によって色歪みが強調されている。更なる暗化は、図３Ｃを参照して説明したように、ブランキングレベルよりも大きい番組のアクティブビデオラインの先頭部付近の位置にＰＳＴＰＳ信号を揃えることによって実現される。
【００３７】
図５のブロック図を参照するに、標準的なＨＢＩ区間が前提とされ、ビデオ入力信号は番組ビデオ信号である。番組ビデオ信号は、好ましくは、ＶＣＲにおけるＡＧＣシステムのようなＡＧＣシステムに減衰を生じさせる基本コピー防止保護信号を含む。基本コピー防止保護信号の例は、例えば、上述のＲｙａｎに発行された米国特許第４，６３１，６０３号明細書、Ｍｏｒｉｏに発行された米国特許第４，１６３，２５３号明細書、及び、Ｒｙａｎに発行された米国特許第４，９１８，０９８号明細書に記載されている。ある種のアプリケーション（好ましくは、ビデオプレーヤ及び伝送システム）の場合、本発明は、Ｒｙａｎに発行された米国特許第４，５７７，２１６号明細書に開示されるようなカラー・ストライプ信号処理、又は、Ｑｕａｎに発行された米国特許第５，７８４，５２３号（’５２３号）明細書に開示されるような修正減衰効果カラー・ストライプ信号と組み合わされた基本コピー防止信号を含む。
【００３８】
図５において、入力１１０側の基本コピー対抗保護（ＡＣＰ）付きの番組ビデオ信号は、ブランキングレベル若しくは約０ボルトでクランプされ、スイッチ１１２及び同期分離回路１１４へ送られる。回路１１４の一方の出力は、ワンショット（ＯＳ）１１６に供給される。ワンショット１１６は、再トリガーが可能ではなく、約３２μｓよりも上にセットされるので、ワンショットの出力は水平レートパルスである。水平レートパルスであるワンショット１１６の出力は、水平レートパルスの前縁が入力番組ビデオ信号の水平同期の前縁と同時に現れる。ワンショット１１６は、回路１１８へ供給される。回路１１８は、水平周波数位相ロックループ（ＰＬＬ）、水平周波数バンドパスフィルタ（ＢＰＦ）、又は、移相器を含み、水平同期の前縁の出現前にパルスを生成する。回路１１８の出力は、入力水平同期よりも位相が進んだ信号であり、プレ同期ワンショット１２０に供給される。ワンショット１２０の出力は、入力水平同期の前縁よりも前の選択された期間、典型的に、約２μｓ乃至３．５μｓに発生する。ワンショット１２０の出力は、例えば、図３Ａ、３Ｂ及び３Ｄの夫々のＭＦＰ信号３２、４４及び６２の間に論理的ハイのパルスである。
【００３９】
ワンショット１２０の出力は、ＡＮＤ回路１２４によって、回路１２２からのライン位置（ロケーション）信号と論理積（ＡＮＤ）される。ライン位置（ロケーション）回路１２２は、分離回路１１４から垂直同期信号を受ける。ＡＮＤ回路１２４の出力は、選択されたライン及びビデオフィールドの選択された部分の間に論理的ハイである。例えば、ライン２１から２５０の間に、入力水平同期の前縁よりも前の約２．５μｓのパルスが存在する。ＡＮＤ回路１２４の出力は、スイッチ１１２をオンに切換え、これにより、電圧源１２５から選択された（一般的に下げられた）レベルのＭＦＰ信号を入力ビデオ信号に挿入する。かくして、スイッチ１１２の出力は、通常、選択されたレベルＶｐｒｅｓｙｎｃの予め選択された修正フロントポーチ区域を含む入力番組ビデオである。ビデオ信号は、拡張区間のＨＢＩを含み得る。Ｖｐｒｅｓｙｎｃは、略ブランキングレベル、又は、ブランキングレベルよりも低い一定電圧でも構わない。
【００４０】
これに対して、Ｖｐｒｅｓｙｎｃは、図７乃至９の例に関して説明するように、シーン内容、即ち、平均画像レベル（ＡＰＬ）に応じて変化してもよい。例えば、Ｖｐｒｅｓｙｎｃの近似値として、明るいシーンでは、０ＩＲＥ乃至＋１０ＩＲＥを想定し、平均的なグレイシーンでは、約−５ＩＲＥを想定し、暗いシーンでは、約−１０ＩＲＥを想定する。
【００４１】
プレ同期カラーバースト・ゲート信号は、ワンショット１２０のパルスの後縁に追従するプレ同期ゲート回路１２６によって生成される。ゲート回路１２６の出力は、プレ同期パルスであり、カラーバースト（正確、若しくは、それ以外）を同期区域、及び／又は、入力番組ビデオ信号のカラーバーストの前に挿入する。ゲート回路１２６の出力は、ＯＲゲート１２８へ結合される。ＯＲゲート１２８のもう一方の入力は、バックポーチ区間内の別のカラーバースト・ゲートパルス（例えば、ＰＳＴＰＳバーストゲート）であり、カラーバースト（正確、若しくは、それ以外）をＨＢＩのバックポーチ部に付加若しくは挿入できるようにする。かくして、ＯＲゲート１２８の出力は、水平ブランキング区間内に同時に発生するパルスの系列であり、ＡＮＤゲート１３０を用いて、ライン位置かリオ１２２からのライン位置信号、及び、発振器１３２からの不正な色副搬送波信号と選択的にＡＮＤ演算され、不正な（又は、それ以外の）カラーバースト位相又は周波数信号を対応した様々な位置で水平ブランキング区間に挿入させる。
【００４２】
ＰＳＴＰＳカラーバースト・ゲートの発生の際に、ワンショット遅延１３４は、ワンショット１１６によって供給された同期信号の前縁によってトリガーされる。次に、ワンショット１３４に接続されたワンショット１３６は、論理的ハイのパルスをポスト同期（ＰＳＴＰＳ）ゲート回路１３８に供給する。ポスト同期ゲート回路１３８の出力は、ＰＳＴＰＳカラーバースト・ゲート信号としてＯＲゲート１２８に供給される。プレ同期ゲート回路１２６及びポスト同期ゲート回路１３８は、夫々、ワンショット回路のようなタイミング回路を含む。
【００４３】
ワンショット１３６からの出力信号、即ち、バックポーチ部の論理的ハイ状態のパルスは、スイッチ１４０を制御して、バックポーチ部のレベルを標準ブランキングレベルよりも下げるため使用される。この低下したバックポーチ部は、上述のＰＳＴＰＳ信号に対応し、電圧源１４２からの信号電圧ＶＰＳＴＰＳによってセットされる。
【００４４】
加算回路１４４は、基本コピー保護によって修正され、好ましくは、水平ブランキング区間の様々な位置に不正なバーストを含むビデオ信号を生成する。即ち、修正ビデオ信号は、ＭＦＰ信号区域（図３Ｄ）に不正なバーストを含むか、例えば、図３Ａ、３Ｃ、３Ｄに示されるように同期区域の一部に不正なバーストを含むか、或いは、好ましくは、例えば、図３Ｂに示されるようにＰＳＴＰＳ信号の後縁の後のバックポーチ部に不正なバーストを含む。加算回路１４４の出力は、詠歌したバックポーチ部、又は、ＰＳＴＰＳ信号を含む（図３Ｂを参照せよ。）。
【００４５】
図５の回路の結果は、図３Ａに例示されている。ＭＦＰ信号３２は、電圧源１２５及びスイッチ１１２の出力によって実現され、ＰＲＩＣＢ信号３４は、回路１３２、１２６、１２８、１３０、１４８及び１４４によって実現される。
【００４６】
図３Ｂを参照するに、ＰＳＴＰＳ信号４６は、回路１３６、１４０、１４２及び１４４によって実現される。更に、図３Ｂにおいて、ＰＳＴＰＳ信号に続く不正なカラーバーストＰＳＴＩＣＢ信号５０は、回路１３２、１３８、１２８、１３０、１４８及び１４４によって実現される。
【００４７】
図３Ｃは、ＰＳＴＰＳ信号４８がアクティブビデオラインの先頭付近へ移動されるか、又は、挿入され、基本コピー対抗保護信号が作用したときにＶＣＲに信号を更に減衰させる状況を示している。図３におけるＰＳＴＰＳ信号４８は、ＴＶ受像機の見る価値を低下させる。なぜならば、ＶＣＲ（直接、又は、コピーから）からの減衰した環境下では、ＰＳＴＰＳ信号は、ＴＶ受像機に不正な水平同期信号を発生させるからである。
【００４８】
図６は、一例として、図５の発振器１３２のような不正な色副搬送波発振器回路の実施例を示す図である。このため、反転増幅器１６０は、入力側で可変コンデンサ１６２に接続され、そこから接地される。増幅器１６０の出力は、抵抗器ＲＯを介して別の可変コンデンサ１６４に接続され、そこから接地される。水晶発振器１６６及び抵抗器Ｒｆは、増幅器１６０の両端間に接続される。コンデンサＣ１０及び／又はコンデンサＣ２０を電気的若しくは手動で調整することにより、発振器１３２によって発生された位相及び周波数は変化し、標準的にはＮＴＳＣ方式若しくはＰＡＬ方式の色副搬送波周波数である公称周波数ではなく、不正な色副搬送波信号ＩＣＳＣを生ずる。図６の回路は、一般的に、ビデオ副搬送波周波数でロックされないが位相オフセット又は可変位相オフセットを伴って、入力ビデオ副搬送波と位相がロックされる。
【００４９】
ビデオ信号のＭＦＰ信号及び／又はＰＳＴＰＳ信号の負レベル若しくは低レベルを適応的に変化させることは、最大の再生性が望まれるある種の状況において好ましい。このため、図７には、修正フロントポーチ区域（ＭＦＰ）のレベル及び／又はエンド・オブ・アクティブラインのレベルを適応的に変化させ、ＰＳＴＰＳ振幅又はポスト擬似同期チップレベルを適応的に変化させる本発明の技術が説明されている。番組ビデオ又はコピー防止処理済のビデオが、シーン検出器回路１７０の入力１１０’に供給され、シーン検出器回路１７０の出力は、ルックアップテーブル、若しくは、ある種のシーン対電圧変換回路のような伝達関数システム１７２及び／又は伝達関数システム１７４に供給される。システム１７２の出力端子は出力１７６側の電圧源であり、システム１７４の出力端子は出力１７８側の電圧源である。
【００５０】
図８は、本発明によりポスト擬似同期振幅及び／又はチップレベル、並びに、ＭＦＰのレベル及び／又はエンド・オブ・アクティブ・ラインのレベルを適応的に変化させる様子を示す波形図である。このように、ＭＦＰ信号１８０は、平均画像レベル（ＡＰＬ）を表す信号に応答して、破線及び垂直向き矢印で示されるようにレベルが変化する。同様に、ＰＳＴＰＳ信号１８２は、ビデオ信号の検出されたＡＰＬに応じて、破線及び垂直向き矢印で示されるように振幅及び／又はチップレベルが変えられる。
【００５１】
図９は、図７のブロック図の詳細回路の一例を示すに過ぎない略構成図である。入力１１０’側の番組又はＡＣＰビデオ信号は、同期分離回路１８６に供給され、同期分離回路１８６の出力はバックポーチ（ＢＰ）・サンプル回路１８８に接続され、バックポーチ・サンプル回路１８８は、実質的に標準のブランキングレベルと一致するパルスを生成し、これにより、バックポーチ部における実質的に修正されたレベルの区域でのサンプリングを回避する。入力１１０’側のビデオ信号は、コンデンサ１９０及び接地された抵抗器１９２を介してＡＣカップリングされ、無修正バックポーチ区域のレベルの絶対値は、平均画像レベルに関連して変化する。明るいシーンの場合、バッファ増幅器１９４の出力で測定された無修正バックポーチレベルは、零ボルトよりも低下する。暗いシーンの場合、出力で測定された無修正バックポーチレベルは、約零ボルトである。無修正バックポーチ区域は、スイッチ１９６及び蓄積コンデンサ１９８によってサンプリングされ、平均画像レベルを表す電圧を発生する。この電圧は、次に、増幅器２００及び増幅器２０２に供給され、各増幅器は異なる電圧利得を持つことができる。増幅器２００の第２入力には、電圧源２０４からのオフセット電圧Ｖｏｆｆ１が供給され、増幅器２０２の第２入力には、電圧源２０６からの別のオフセット電圧Ｖｏｆｆ２が供給される。増幅器２０２の出力１７６は、例えば、電圧Ｖｏｆｆ２に対応したＭＦＰ信号からなり、好ましくは、暗いシーンに対し負の電圧を発生し、好ましくは、明るいシーンに対し電圧を発生しない。増幅器２００の出力１７８は、例えば、電圧Ｖｏｆｆ１に対応したＰＳＴＰＳ信号からなり、増幅器２００の利得は、明るいシーン中の好ましくは負の電圧から、暗いシーン中の好ましくはより低い負の電圧へ変化するように選択される。図７の出力１７６における出力電圧と図９の出力１７８における出力電圧は、相互に対応する。
【００５２】
好ましい実施例は、標準的な水平ブランキング区間、及び／又は、同期幅、及び／又は、カラー・エンベロープ間隔を使用しているが、本発明の他の実施例は、区間と間隔が標準的ではない水平ブランキング区間、及び／又は、同期、及び／又は、カラー・エンベロープ間隔を組み込むことを考慮している。例えば、水平同期は幅が狭くされるか、及び／又は、遅延され、水平ブランキング区間は幅が広くされるか、又は、狭くされる。
【００５３】
したがって、本発明の実施例及び例の様々な変形及び適応が詳細な説明及び図面からはっきりと理解され、本発明の範囲は、特許請求の範囲に記載された事項並びにその均等物によって規定される。
【図面の簡単な説明】
【図１】
標準的な無修正水平ブランキング区間（ＨＢＩ）及び隣接したビデオ信号ラインの近傍を示す波形図であり、ＨＢＩの種々の区域及び夫々の標準ビデオレベルがＩＲＥ単位で表されている。
【図２】
Ａ乃至Ｃは、標準（ノーマル）フロントポーチレベル及び修正フロントポーチレベルに対するカラーバースト・サンプル信号を含む本発明の一実施例を説明する波形である。
【図３Ａ】
修正（低下）フロントポーチ（ＭＦＰ）信号レベルを利用する図２Ａの実施例に類似した本発明の一実施例を説明する波形であり、更なる修正が加えられている。
【図３Ｂ】
ポスト擬似同期（ＰＳＴＰＳ）信号を利用する別の実施例を説明する波形である。
【図３Ｃ】
アクティブビデオ信号の先頭の十分近くへ移されたＰＳＴＰＳ信号を利用する本発明の更なる実施例を説明する波形であり、アクティブビデオ信号は、ＰＳＴＰＳ信号に対してＡＧＣ信号として機能するようにされている。
【図３Ｄ】
不正なカラーバーストが拡張ＨＢＩのフロントポーチ区域に付加された本発明の更なる実施例を説明する波形である。
【図４】
典型的な環境で本発明を説明するブロック図である。
【図５】
例えば、図２Ｂ〜２Ｃ及び図３Ａ〜３Ｄの修正波形を生成する本発明の回路を説明するブロック図である。
【図６】
不正な副搬送波発生器回路を説明する略構成図である。
【図７】
本発明の別の実施例を説明するブロック図である。
【図８】
図７及び９の回路によって供給される信号を説明する波形である。
【図９】
図７のブロック図の更なる詳細を説明する略構成図である。
【図１】
2004507170.tif 000003
【図２】
2004507170.tif 000004
【図３Ｄ】
2004507170.tif 000005
【図４】
2004507170.tif 000006
【図５】
2004507170.tif 000007
【図６】
2004507170.tif 000008
【図７】
2004507170.tif 000009
【図８】
2004507170.tif 000010
【図９】
2004507170.tif 000011
【国際公開パンフレット】
2004507170.tif 000012
2004507170.tif 000013
2004507170.tif 000014
2004507170.tif 000015
2004507170.tif 000016
2004507170.tif 000017
2004507170.tif 000018
2004507170.tif 000019
2004507170.tif 000020
2004507170.tif 000021
2004507170.tif 000022
2004507170.tif 000023
2004507170.tif 000024
2004507170.tif 000025
2004507170.tif 000026
2004507170.tif 000027
2004507170.tif 000028
2004507170.tif 000029
2004507170.tif 000030
2004507170.tif 000031
2004507170.tif 000032
2004507170.tif 000033
2004507170.tif 000034
2004507170.tif 000035
2004507170.tif 000036
2004507170.tif 000037
2004507170.tif 000038
2004507170.tif 000039
2004507170.tif 000040
2004507170.tif 000041
2004507170.tif 000042
2004507170.tif 000043
2004507170.tif 000044
2004507170.tif 000045
2004507170.tif 000046
2004507170.tif 000047
2004507170.tif 000048
2004507170.tif 000049
2004507170.tif 000050
2004507170.tif 000051
2004507170.tif 000052
2004507170.tif 000053
2004507170.tif 000054
2004507170.tif 000055
【国際公開パンフレット（コレクトバージョン）】
2004507170.tif 000056
2004507170.tif 000057
【国際調査報告】
2004507170.tif 000058
2004507170.tif 000059
2004507170.tif 000060